(57)【特許請求の範囲】
【請求項１】
異常の発生箇所から異常の種別毎にコード化されたデータを受け取った制御部が、
該コード化されたデータに基づき異常の種別を判別し、
異常の種別毎の項目と異常発生回数とを対応付けた対応表からなる異常の発生履歴をメモリから読み出し、
前記読み出された発生履歴の中で前記判別された異常の種別の項目に対応する異常発生回数を増加させ、
前記メモリにおいて前記項目毎に設けられるフラグの内で前記判別された異常の種別に対応するフラグのみをオンとすると共に、他のフラグをオフとし、
変更された異常発生回数及びフラグを前記メモリに記憶させておき、
操作に応じて前記異常の発生履歴を前記メモりから読み出し、
最後に発生した異常であることを示すフラグがオンとなっている項目を検索し、
前記最後に発生した異常の種別の項目及び発生回数をそれ以外の異常の種別の項目及び発生回数と色分けして表示させる
ことを特徴とする自己診断機能を備えた電子機器の表示方法。
【請求項２】
前記メモリは、不揮発性メモリであることを特徴とする請求項１に記載の自己診断機能を備えた電子機器の表示方法。
【請求項３】
前記電子機器は、テレビジョン受像器であって、前記判別された異常は、所定箇所の電流値または電圧値が仕様上において定められた制限値を越えたことを示すことを特徴とする請求項１に記載の自己診断機能を備えた電子機器の表示方法。
【請求項４】
前記フラグとして、前記異常発生回数を示すデータの最上位ビットが使用されることを特徴とする請求項１に記載の自己診断機能を備えた電子機器の表示方法。
【請求項５】
異常の種別毎の項目と異常発生回数とを対応付けた対応表からなる異常の発生履歴を蓄積すると共に、前記項目毎に設けられるフラグを記憶するメモリと、
異常の発生箇所から異常の種別毎にコード化されたデータを受け取り、該コード化されたデータに基づき異常の種別を判別し、前記メモリに蓄積した異常の発生履歴を読み出し、前記発生資歴の中で該当する項目の異常発生回数を増加させ、前記項目毎に設けられるフラグの内で前記判別された異常の種別に対応するフラグのみをオンとし、他のフラグをオフとし、変更された異常発生回数及びフラグを前記メモリに記憶させる制御部と、
を備える自己診断機能を備えた電子機器。
【請求項６】
前記制御部は、操作に応じて前記異常の発生履歴を前記メモりから読み出し、最後に発生した異常であることを示すフラグがオンとなっている項目を検索し、前記最後に発生した異常の種別の項目及び発生回数をそれ以外の異常の種別の項目及び発生回数と色分けして表示させることを特徴とする請求項５に記載の自己診断機能を備えた電子機器。
【請求項７】
前記メモリは、不揮発性メモリであることを特徴とする請求項５に記載の自己診断機能を備えた電子機器。
【請求項８】
前記電子機器は、テレビジョン受像器であって、前記判別された異常は、所定箇所の電流値または電圧値が仕様上において定められた制限値を越えたことを示すことを特徴とする請求項５に記載の自己診断機能を備えた電子機器。
【請求項９】
前記フラグとして、前記異常発生回数を示すデータの最上位ビットが使用されることを特徴とする請求項５に記載の自己診断機能を備えた電子機器。
【発明の詳細な説明】
【０００１】
【発明の属する技術分野】
本発明は、画面表示機能を有し、且つ、自己診断機能を備えたモニタ装置、液晶プロジェクタ、測定機器等の電子機器における自己診断情報の表示方法、及び、この表示機能を備えた電子機器に関するものであり、詳しくは、自己診断を行った履歴をメモリに記憶させ、故障診断時等に診断履歴をメモリから読み出して画面に表示させることができる各種電子機器において、最後に発生した異常診断項目とそれ以前に発生した他の異常診断項目とを画面表示により識別できるようにした電子機器に関するものである。
【０００２】
【従来の技術】
従来、自己診断機能を備えた電子機器においては、故障診断の便宜等のために、例えば、機器に何らかの異常が発生したときにその異常の種別、種別毎の発生回数等をメモリ等に記憶しておき、記憶しておいたデータを適宜読み出して表示することによって、過去にどのような異常又は異常と思われる状態が発生したのか、どのような異常又は異常と思われる状態が最も多く発生しているのか等を調べることができるものが存在する。
【０００３】
上述のような電子機器においては、メモリ等に記憶したデータを画面に表示することが必要であるが、この表示は、同一出願人が既に出願済みの特願平８年−４７２７０号「不揮発性メモリの内容を編集可能なＡＶ機器」に開示した発明等を利用することにより、リモコン操作若しくは機器本体に設けられたスイッチによって行うことが可能である。
【０００４】
【発明が解決しようとする課題】
しかしながら、上記のように表示した表示内容からは過去に発生した異常又は異常と思われる状態の種別、故障の種別毎の発生頻度等を把握することはできるが、電子機器、例えばＡＶ機器の故障診断時等の際に重要な鍵となる「どれが一番最後に発生した異常又は異常と思われる状態であるか」を容易に知る方法は無かった。
従って、本発明は、上記問題点を解消するため、一番最後に発生した異常がどれであるかを明示する表示方法及びこの表示機能を備えた電子機器に課題を有する。
【０００５】
【課題を解決するための手段】
上記課題を解決するために、本発明に係る自己診断機能を備えた電子機器の表示方法では、異常の発生箇所から異常の種別毎にコード化されたデータを受け取った制御部が、コード化されたデータに基づき異常の種別を判別し、異常の種別毎の項目と異常発生回数とを対応付けた対応表からなる異常の発生履歴をメモリから読み出し、読み出された発生履歴の中で判別された異常の種別の項目に対応する異常発生回数を増加させ、メモリにおいて項目毎に設けられるフラグの内で前記判別された異常の種別に対応するフラグのみをオンとすると共に、他のフラグをオフとし、変更された異常発生回数及びフラグを前記メモリに記憶させておく。そして、操作に応じて前記異常の発生履歴を前記メモりから読み出し、最後に発生した異常であることを示すフラグがオンとなっている項目を検索し、最後に発生した異常の種別の項目及び発生回数をそれ以外の異常の種別の項目及び発生回数と色分けして表示させる。
【０００６】
又、自己診断機能を備えた電子機器は、異常の種別毎の項目と異常発生回数とを対応付けた対応表からなる異常の発生履歴を蓄積すると共に、項目毎に設けられるフラグを記憶するメモリと、異常の発生箇所から異常の種別毎にコード化されたデータを受け取り、コード化されたデータに基づき異常の種別を判別し、メモリに蓄積した異常の発生履歴を読み出し、発生資歴の中で該当する項目の異常発生回数を増加させ、項目毎に設けられるフラグの内で判別された異常の種別に対応するフラグのみをオンとし、他のフラグをオフとし、変更された異常発生回数及びフラグをメモリに記憶させる制御部とを備える。
【０００７】
このようにしたことにより、点検等の際に、最後に検出した異常を一目瞭然に識別することができ、異常の発生及び異常の発生しやすい状態にある等の判断がし易くなる。
【０００８】
【発明の実施の形態】
本発明に係る自己診断機能を備えた電子機器の表示方法及び自己診断機能を備えた電子機器の望ましい実施の形態の一つとして、最後に発生した異常診断項目とその他の異常診断項目とを区別して表示可能な管面表示するハイビジョンテレビ受像機について、図を参照しながら説明する。
【０００９】
図１において、ハイビジョンテレビ受像機は、Ｕ／Ｖチューナ１と、ＢＳチューナ２と、選局マイコン３と、映像スイッチ４と、ＭＵＳＥ回路５と、ＭＵＳＥマイコン６と、音声スイッチ７と、音量調整回路８と、スピーカ８Ｌ、８Ｒと、受光器９と、操作キー１０と、３次元コムフィルタ１１と、ＩＤ−１回路１２と、ＥＤＴＶ回路１３と、画面表示ＩＣ１４と、ＲＧＢインタフェース１５と、偏向制御回路１６と、コンバーゼンス回路１７と、偏向ヨーク１８と、ＣＲＴ１９と、システムマイコン２０と、不揮発性メモリ２１と、リモコン２２とを有している。
【００１０】
図１において、太線ＰはフィリップスＩＩＣバス（以下「ＩＩＣバス」という）を、太線Ｑは３線シリアルバス（ＭＵＳＥバスともいう）を、細線は映像信号線を、点線は音声信号線をそれぞれ示す。
【００１１】
Ｕ／Ｖチューナ１は、３線シリアルバスＱを介して接続した選局マイコン３の制御の下で、ＵＨＦアンテナ及びＶＨＦアンテナから入力するＵＨＦ及びＶＨＦの地上波を復調し、復調された映像信号を映像スイッチ４へ音声信号を音声スイッチ７へ出力する。
【００１２】
ＢＳチューナ２は、ＩＩＣバスＰを介して接続した選局マイコン３の制御の下で、ＢＳアンテナから入力する衛星波を復調し、復調された映像信号を映像スイッチ４及びＭＵＳＥ回路５へ、音声信号を音声スイッチ７へ出力する。
【００１３】
選局マイコン３は、ＩＩＣバスＰを介して接続したシステムマイコン２０の制御の下で、Ｕ／Ｖチューナ１、ＢＳチューナ２、デコーダ端子、外部チューナ端子の中から一系統を選択し、映像スイッチ４及び音声スイッチ７に信号を入力させる。
【００１４】
映像スイッチ４は、Ｕ／Ｖチューナ１、ＢＳチューナ２、デコーダ、外部チューナの各出力端子と共通に接続された映像信号線の入力端子を有している。これらのうち、選局マイコン３により選択した映像信号を映像スイッチ４の上記入力端子に入力する。
【００１５】
また、映像スイッチ４は、ビデオテープレコーダＶＩＤＥＯ１、ＶＩＤＥＯ２、ＶＩＤＥＯ３の各端子とそれぞれ接続された映像信号線の入力端子を有している。
また、映像スイッチ４の出力端子は、３次元コムフィルタ１１及びＩＤ−１回路１２の入力端子と接続されている。更に、映像スイッチ４の制御端子はＩＩＣバスＰを介してシステムマイコン２０と接続されている。
【００１６】
映像スイッチ４は、ＩＩＣバスＰを介してシステムマイコン２０から供給される制御信号により制御され、上記複数の入力端子のうちの一つの入力信号を選択し、３次元コムフィルタ１１及びＩＤ−１回路１２へ出力する。
【００１７】
ＭＵＳＥ回路５は、ＭＵＳＥ１、ＭＵＳＥ２と接続された各入力端子と、音声スイッチ７と接続された出力端子と、ＲＧＢインタフェース１５と接続された映像信号出力端子と、ＭＵＳＥマイコン６と３線シリアルバスＱを介して接続された制御端子とを有する。
【００１８】
このＭＵＳＥ回路５は、３線シリアルバスＱを介してＭＵＳＥマイコン６に制御され、ＢＳチューナ２からの衛星放送信号の中のＭＵＳＥ方式で帯域圧縮された信号、ＭＵＳＥ１からの信号、ＭＵＳＥ２からの信号のうちの一つを選択してデコードし、ハイビジョン信号に変換して映像信号出力端子をＲＧＢインタフェース１５へ映像信号を出力し、音声信号を音声スイッチ７へ出力する。
【００１９】
ＭＵＳＥマイコン６は、接続形態を図示していないが、システムマイコン２０により制御され、上述したＭＵＳＥ回路５の上記入力選択を制御する。
【００２０】
音声スイッチ７は、Ｕ／Ｖチューナ１、ＢＳチューナ２、デコーダ、外部チューナと共通に接続された一つの音声信号線の入力端子を有している。これらのうち、選局マイコン３により選択された一つから出力される音声信号は、ＩＩＣバスＰを介在にして音声スイッチ７に入力する。
【００２１】
また、音声スイッチ７は、ビデオテープレコーダＶＩＤＥＯ１、ＶＩＤＥＯ２、ＶＩＤＥＯ３と、ＭＵＳＥ回路５と、ＨＤ端子と、ＲＧＢ端子と夫々接続された映像信号線の入力端子を有している。このような接続状態からなる音声スイッチ７は、システムマイコン２０によりＩＩＣバスＰを介在にして制御され、上記複数の入力端子のうちの一つを選択し、選択した音声信号を音量調整回路８へ出力する。
【００２２】
音量調整回路８は、音声スイッチ７で選択された音声信号の左右の音声信号の各音量を調整し左スピーカ８Ｌ及び右スピーカ８Ｒへ夫々出力する。
【００２３】
受光器９は、後述するリモコン２２から出力された赤外線信号を受光し、電気信号に変換してシステムマイコン２０へ制御信号を出力する機能を有する。
【００２４】
操作キー１０は、ハイビジョンテレビ受像機の前面パネルに設けられており、リモコン２２を使用しないで各種指示をシステムマイコン２０へ入力するためのものである。
【００２５】
３次元コムフィルタ１１は、システムマイコン２０によりＩＩＣバスＰを介して制御され、映像スイッチ４から出力された映像信号を構成する輝度信号と色信号とを分離し、それぞれをＥＤＴＶ回路１３へ出力する。
【００２６】
ＩＤ−１回路１２は、システムマイコン２０によりＩＩＣバスＰを介して制御され、映像スイッチ４から出力された映像信号中のワイドＩＤ信号を検出する。なお、ワイドＩＤ信号は、ビデオテープレコーダの再生信号の垂直帰線区間内に重畳されている信号の一種である。
【００２７】
ＥＤＴＶ回路１３は、システムマイコン２０によりＩＩＣバスＰを介して制御され、３次元コムフィルタ１１から出力された輝度／色信号から、ＥＤＴＶの識別制御信号を検出し、補強信号のデコードを行い、デコードされた輝度信号及び色信号をＲＧＢインタフェース１５へ出力する。
【００２８】
画面表示ＩＣ１４は、表示ＲＡＭと表示制御部とをＩＣ化したもので、システムマイコン２０の３線シリアルバスＱを介した制御の下で、使用者が指定した画面モードでの１画面分の文字等情報を表示ＲＡＭ上に形成し、この表示ＲＡＭのデータを順次ＲＧＢインタフェース１５へ出力する機能を有する。これにより、上記文字等情報を放送等の映像に重畳して表示することができるようになっている。
【００２９】
ＲＧＢインタフェース１５は、システムマイコン２０によりＩＩＣバスＰを介して制御され、その映像信号線はＥＤＴＶ回路１３、ＭＵＳＥ回路５、ＨＤ端子、ＲＧＢ端子に接続し、各々の出力映像信号の一つを選択する選択機能と、選択された映像信号に画面表示ＩＣ１４から出力された信号を重畳するスーパーインポーズ機能と、ホワイトバランス調整機能と、ピクチャや明るさ等の調整機能と、映像信号から水平及び垂直同期信号を検出する機能等とを有している。
【００３０】
ＲＧＢインタフェース１５は、上記機能の総合動作によりＲ、Ｇ、Ｂ信号を生成し、これを表示器であるＣＲＴ１９の電子銃に供給すると共に、検出した水平及び垂直同期信号を偏向制御回路１６及びシステムマイコン２０へ出力する。
【００３１】
偏向制御回路１６は、ＲＧＢインタフェース１５から水平及び垂直同期信号を受け、これに基づき偏向ヨーク１８へ水平及び垂直偏向制御信号を送る。
【００３２】
コンバーゼンス回路１７は、システムマイコン２０によりＩＩＣバスＰを介して制御され、動コンバーゼンス電圧を発生し、これを偏向ヨーク１８へ送る。
偏向ヨーク１８は、偏向制御回路１６からの水平及び垂直偏向電圧並びにコンバーゼンス回路１７からのコンバーゼンス電圧に基づき、ＣＲＴ１９の電子ビームを水平方向及び垂直方向に歪み無く偏向させる。
【００３３】
ＣＲＴ１９は、上記Ｒ、Ｇ、Ｂ信号により電子銃からＲ、Ｇ、Ｂ信号の各ビームを発射し、これらのビームは上記偏向制御回路１６及びコンバーゼンス回路１７により制御された偏向ヨーク１８の偏向電圧により偏向されながら表示面の蛍光膜を発光させ、その結果、表示面に映像が表示されることになる。
【００３４】
システムマイコン２０は、リモコン２２から受光器９を介して種々の指令信号を受信し、それぞれのコマンドに応じてＩＩＣバスＰを介して以下に示す所定の処理を行う。
【００３５】
（１）選局マイコン３、映像スイッチ４、ＭＵＳＥ回路５、ＭＵＳＥマイコン６、音声スイッチ７を制御し、入力先及びチャンネルを選定する。
【００３６】
（２）指定された画面モードに応じた制御信号を３次元コムフィルタ１１、ＩＤ−１回路１２、ＥＤＴＶ回路１３、画面表示ＩＣ１４、ＲＧＢインタフェース１５、偏向制御回路１６へ送信する。これにより、画面がノーマル、ワイド等の画面になる。
【００３７】
（３）不揮発性メモリ２１内に記憶されている各種データ（異常診断項目からなる診断履歴データもこの中に含まれる）を読み出し、画面表示ＩＣ１４へ転送することにより、文字等の画像データを画面表示ＩＣ１４内の表示ＲＡＭ上で作成する。この画像データは、１画面分の画素データにより形成されており、画素データはそれぞれ輝度データと色データとを有する。
画面表示ＩＣ１４は、システムマイコン２０の制御の下で上記画像データをＲＧＢインタフェース１５へ出力する。これにより、画素毎に輝度と色とが制御された画像がＣＲＴ１９の表示画面に表示されることになる。
【００３８】
（４）上記画像データを放送映像信号又は外部装置からの映像信号に重畳させて、或いは、単独でＣＲＴ１９に表示させるように制御する。
【００３９】
不揮発性メモリ２１は、システムマイコン２０が上記各種の制御を行うために必要な情報、例えば、使用者が指定した入力先、チャンネル、画面モード、音量等の視聴条件データや画歪み調整用等の制御データ、並びに過去に発生した異常診断項目の履歴等を格納している。
【００４０】
不揮発性メモリ２１へのデータの書き込み、不揮発性メモリ２１の内容のＣＲＴ１９への表示、並びに、不揮発性メモリ２１の内容の編集（変更、削除、追加等）は、原則としてリモコン２２から不揮発性メモリ編集コマンドを送ることにより、システムマイコン２０の制御の下に行われる。
【００４１】
リモコン２２は、上記入力選択キー、チャンネル選択キー、画面モード選択キー、音量調整キー等を有している。
【００４２】
上記のように構成したハイビジョンテレビ受像機において、自己診断を行い、その自己診断によって得た情報を診断履歴として記憶し、この診断履歴を表示する場合について、図２及び図３に示す流れ図を参照しながら以下に説明する。
尚、本実施形態においては、ハイビジョンテレビ受像機の内部において発生する信号若しくはデータに基づいて自動的に自己診断が行われるものとし、この自己診断によって作成される診断履歴が、多数の診断項目のうち、特に異常診断項目とその発生回数とを対応付けた対応表からなる場合について説明する。
又、異常とは、ある診断項目、例えば特定箇所の電流、電圧等の値が、機器の仕様上の制限値を越えているような場合をいい、それが直ちに故障に直結することを意味するものではない。
【００４３】
ハイビジョンテレビ受像機に何らかの異常状態が発生したときは、ハイビジョンテレビ受像機が持つ自己診断機能により、異常の発生箇所からシステムマイコン２０に対し、異常が発生したことが通知される（ステップＳＴ１）。具体的には、例えば、図１には図示していないが、システムマイコン２０とその他の各部との間に割り込み信号線を予め設けておけば、異常の発生時に割り込み信号を発することにより、システムマイコン２０に対して異常が発生したことを通知することができる。
又、割り込み信号線がない場合でも、システムマイコン２０が、一定時間毎に異常の発生する可能性のある箇所に対して異常の発生の有無を確認する問い合わせを行えば、逐次回答をもらうことによって同様に異常の発生を検知することができる。
【００４４】
このようにして異常の発生を通知した異常発生部は、次に、その異常の種別を示すデータをシステムマイコン２０に転送する。ここで転送されるデータは、異常の種別毎に体系的にコード化されている。
システムマイコン２０は、ここで受け取ったコード化されたデータに基づき、異常の種別を判別してレジスタ等に一時的に記憶させておく（ステップＳＴ２）。
【００４５】
次にシステムマイコン２０は、不揮発性メモリ２１の所定のアドレスから、数種類の異常診断項目と異常発生回数とを対応付けた対応表からなる異常の発生履歴を読み出す（ステップＳＴ３）。
【００４６】
システムマイコン２０は、読み出した異常の発生履歴の中から、ステップＳＴ２において判別した異常の種別に該当する項目を検索し、該当する項目を見つけると、その項目に対応した異常の発生回数に１を加算する（ステップＳＴ４）。又、ここで１を加算した項目が、その時点における最後に発生した異常であるので、以下のようにして、最後の異常であることを記憶する。
【００４７】
最後に発生した異常であることは、異常の発生回数を示すデータの最上位ビットの値をフラグとして使用したり、各項目毎に専用の１バイトのフラグを設けたりしておき、これらのフラグの値を適宜操作することにより記憶させることができる。例えば、最後に発生した異常の発生回数を示すデータのみ最上位ビットを”１”とし、その他の異常の発生回数を示すデータの最上位ビットは”０”とする等である。
【００４８】
従って、システムマイコン２０は、最後に発生した異常であることを示すフラグをオンにする前に、その前に既にセットされているフラグをオフとした後、ステップＳＴ２において判別した結果に基づき、最後に発生した異常の項目に対応するフラグをオンにする必要がある（ステップＳＴ５、ステップＳＴ６）。
【００４９】
最後に、上記変更したデータを不揮発性メモリ２１に記憶させて、自己診断における異常発生時の処理を終了する（ステップＳＴ７）。
【００５０】
このように不揮発性メモリ２１に記憶した診断履歴は、故障の診断時、点検時等には、リモコン２２等の操作によって以下のように参照することができる。
リモコン２２による操作は、受光器９に対して不揮発性メモリ編集コマンドを送出することにより行う。この不揮発性メモリ編集コマンドには、「表示」、「アドレス変更」、「ページ移動」、「カーソル移動」、「データ変更」、「書き込み」等があり、操作者はそれぞれの編集コマンド毎に割り付けられたリモコン２２のキーを操作することにより、所望の編集コマンドを送出することができる。
【００５１】
異常診断項目の発生履歴をＣＲＴ１９に表示させようとするときは、図３に示すように、リモコン２２の所定の操作により前述の表示コマンドを受光器９に向けて送出する。このコマンドが受光器９を介してシステムマイコン２０に転送されると、先ずシステムマイコン２０が、不揮発性メモリ２１の所定のアドレスからデータを読み出す（ステップＳＴ８）。そして、最後に発生した異常であることを示すフラグがオンとなっている項目を検索する（ステップＳＴ９）。この検索により最後に発生した異常診断項目を判別すると、システムマイコン２０は、当該異常診断項目の項目名及び発生回数の欄のみ、色データを”赤”に変更して、１画面分の表示データを画面表示ＩＣ１４に転送する（ステップＳＴ１０）。
【００５２】
画面表示ＩＣ１４にデータを転送すると、図４に示すように、不揮発性メモリ２１の内容が、現在の放送映像に重畳されて或いは単独で画面表示２３される。ここで、左側の列は異常の発生項目、即ち診断項目２３ａであり、右側の列は、当該異常の発生回数２３ｃである。例えば、図４において、”ＨＶ”とは、フライバックトランスがつくる高圧出力の異常、ＡＢＬ（自動輝度制限）電流の異常を示す項目であり、過去にこの異常は３回発生している。つまり、この異常を知らせる通知がシステムマイコン２０に対して３回行われたわけである。
又、点線の枠で囲まれた行の”１３５Ｖ  ＯＣＰ”は、フライバックトランスレイヤーショートによる過電流が流れたことを示し、過去に１回発生している。一方、その他の項目は発生回数が”０”であるので、過去に一度も異常が発生していないことを意味する。
【００５３】
更に、図４において点線の枠で囲った部分２３ｂは赤色で表示され、他の行は緑色で表示されている。これは、ステップＳＴ１０においてこの行のみ色データを”赤”に変更して画面表示ＩＣ１４に転送したからである。即ち、ここで赤色で表示した項目が最後に発生した異常となる。このようにして、最後に発生した異常項目とその他の項目とを明確且つ容易に識別できるのである。
【００５４】
又、図４においては、最後に発生した異常の行を赤色で表示したが、他の行と異なる色であれば何色でも構わないことは勿論のことである。
更に、色を変える場合のみならず、文字の大きさを変える、字体を変える、強調文字にする、背景色を変える等によっても、同様に最後に発生した異常であることを把握することができる。又、最後に発生した異常項目を最上行若しくは最下行に表示する等の方法によっても、最後に発生した異常を識別可能である。
【００５５】
一方、画面上に表示されていない異常項目を見たいときは、前述のページ移動コマンドやカーソル移動コマンドによってページ単位、行単位に画面をずらして表示させることもできる。
【００５６】
最後に発生した異常が何であるかを把握した使用者、修理担当者等は、把握した情報に基づいて修理、保守等を効率良く行うことができる。そして、修理、保守等が行われて異常の発生原因が解消されたときは、リモコン２２の所定の操作により、データ変更コマンドを受光器９に向けて送出することにより、異常の発生回数を”０”に戻すこともできる。
【００５７】
以上説明したハイビジョンテレビ受像機では、自己診断機能として診断履歴として異常項目及びその発生回数を記憶する機能を有する場合を例に挙げて説明したが、異常項目のみならず、他の診断項目全てを含む場合等であっても、この中から最後に発生した異常を識別することが可能である。
【００５８】
尚、本実施形態においては、ハイビジョンテレビ受像機の場合について説明したが、表示装置を有していれば、他の映像機器や音響機器、測定機器等にも適用することもできる。
又、異常の内容の表示は、リモコン操作による方法のみならず、機器本体に設けられたスイッチの操作によっても可能であることは勿論のことである。
【００５９】
【発明の効果】
以上説明したように、本発明に係る自己診断機能を備えた電子機器の表示方法及び自己診断機能を備えた電子機器は、最後に発生した異常診断項目を他の異常診断項目とを識別することができるので、電子機器の点検等の作業が効率的かつ容易になり、作業時間を大幅に短縮することができる。
【図面の簡単な説明】
【図１】本発明に係る自己診断機能を備えた電子機器の表示方法及び自己診断機能を備えた電子機器の一実施形態としてのハイビジョンテレビ受像機の構成を示すブロック図である。
【図２】同異常発生時の動作を示す流れ図である。
【図３】同異常の診断時の動作を示す流れ図である。
【図４】同異常診断履歴の画面表示の一例を示す説明図である。
【符号の説明】
１：Ｕ／Ｖチューナ，２：ＢＳチューナ２，３：選局マイコン，４：映像スイッチ，５：ＭＵＳＥ回路，６：ＭＵＳＥマイコン，７：音声スイッチ，８：音量調整回路，９：受光器，１０：操作キー，１１：３次元コムフィルタ，１２：ＩＤ−１回路，１３：ＥＤＴＶ回路，１４：画面表示ＩＣ，１５：ＲＧＢインタフェース，１６：偏向制御回路，１７：コンバーゼンス回路，１８：偏向ヨーク，１９：ＣＲＴ，２０：システムマイコン，２１：不揮発性メモリ，２２：リモコン，２３：異常診断履歴の画面表示，Ｐ：ＩＩＣバス，Ｑ：３線シリアルバス
【図１】
0003721568.tif 000002
【図２】
0003721568.tif 000003
【図３】
0003721568.tif 000004
【図４】
0003721568.tif 000005